(57)【要約】【課題】  建材から放出される揮発性有機化合物を測定する装置を提供する。  【解決手段】  測定試料を入れる容器が底部と、胴部と、該胴部と嵌合する蓋からなるステンレス製の容器であって、胴部の開口と蓋はパッキングを介在させて嵌合して連結部材により結合して着脱自在に密封し、蓋には空気取り出し口を配設し、容器胴部内の底部に測定する建材サンプルを載置する中底を設け、該中底は筒状体の一方の開口に小孔を設けた中底板を設置してなり、他方の開口は容器の底と接触する倒立桶型の底部であり、中底胴部とこれに対向する容器壁には空気取り入れ口を設け、空気取り入れ口には、空気吐出口を管の上面及び／または側面に配置した、ほぼ胴部を横断する空気を導入するシャワー管を連結し、空気取り出し口には揮発性有機化合物捕集管を連結してなる、建材から放出される揮発性有機化合物の測定装置である。【選択図】  図３
2006133170.tif 000002
【特許請求の範囲】
【請求項１】
測定試料を入れる容器が底部と、胴部と、該胴部と嵌合する蓋からなるステンレス製の容器であって、胴部の開口と蓋はパッキングを介在させて嵌合して連結部材により結合して着脱自在に密封し、蓋には空気取り出し口を配設し、容器胴部内の底部に測定する建材サンプルを載置する中底を設け、該中底は筒状体の一方の開口に小孔を設けた中底板を設置してなり、他方の開口は容器の底と接触する倒立桶型の底部であり、中底胴部とこれに対向する容器壁には空気取り入れ口を設け、空気取り入れ口には、空気吐出口を管の上面及び／または側面に配置した、ほぼ胴部を横断する空気を導入するシャワー管を連結し、空気取り出し口には揮発性有機化合物捕集管を連結してなる、建材から放出される揮発性有機化合物の測定装置。
【請求項２】
空気を導入するシャワー管は、孔径１．５ｍｍ〜２．５ｍｍの空気吐出口を５〜９個／１本の密度で設けた管である、請求項１に記載された建材から放出される揮発性有機化合物の測定装置の試料封入容器。
【請求項３】
空気を導入するシャワー管は、先端に向かってしぼって管径を小さくした管である、請求項１または２に記載された建材から放出される揮発性有機化合物の測定装置の試料封入容器。
【請求項４】
中底に設けた空気を容器内に送り込む小孔は、孔径３ｍｍ〜５ｍｍの小さい孔で１８〜３０個／２００ｃｍ２の密度で分布した小孔である、請求項１ないし３のいずれか１項に記載された建材から放出される揮発性有機化合物の測定装置の試料封入容器。
【請求項５】
胴部の開口と蓋の間に介在するパッキングはシリコンゴム製のパッキングである、請求項１ないし４のいずれか１項に記載された建材から放出される揮発性有機化合物の測定装置の試料封入容器。
【請求項６】
請求項１ないし５のいずれか１項に記載した測定装置の試料封入容器を恒温槽に収容してなる、建材から放出される揮発性有機化合物の測定機。
【発明の詳細な説明】
【技術分野】
【０００１】
本発明は、建材等から放出される揮発性有機化合物量を測定する装置に関する。
【背景技術】
【０００２】
建材、特に新建材は、その製造に揮発性有機化合物を用いた樹脂が使用されるので、未反応の揮発性有機化合物が残り、これが放出されるので、種々の公害を起し、特に住人に対し、被害を与える問題が大きくなってきた。
従来建材等から放出される揮発性有機化合物の量を測定するために種々な方法がとられてきた。例えば、容量２０リットルの筒状容器に試料を入れ、容器の下方より空気を導入し、この空気を上方より取り出して分析する方法がある。この方法は、取扱いが難しく、空気の流れが乱れやすい欠点があった。
放出さえる揮発性有機化合物の量がわかれば、それに応じた対策をとることが出来るが、測定に問題があるので対策がとり難いのが実情である。
【非特許文献１】ＪＩＳ  Ａ  １９０１：２００３  建築材料の揮発性有機化合物、ホルムアルデヒド及び他のカルボニル化合物放散測定方法
【発明の開示】
【発明が解決しようとする課題】
【０００３】
本発明は、簡単に建材から放出される揮発性有機化合物を測定する簡単な装置を提供するものである。
【課題を解決するための手段】
【０００４】
本発明は、
「１．  測定試料を入れる容器が底部と、胴部と、該胴部と嵌合する蓋からなるステンレス製の容器であって、胴部の開口と蓋はパッキングを介在させて嵌合して連結部材により結合して着脱自在に密封し、蓋には空気取り出し口を配設し、容器胴部内の底部に測定する建材サンプルを載置する中底を設け、該中底は筒状体の一方の開口に小孔を設けた中底板を設置してなり、他方の開口は容器の底と接触する倒立桶型の底部であり、中底胴部とこれに対向する容器壁には空気取り入れ口を設け、空気取り入れ口には、空気吐出口を管の上面及び／または側面に配置した、ほぼ胴部を横断する空気を導入するシャワー管を連結し、空気取り出し口には揮発性有機化合物捕集管を連結してなる、建材から放出される揮発性有機化合物の測定装置。
２．  空気を導入するシャワー管は、孔径１．５ｍｍ〜２．５ｍｍの空気と出口を５〜９個／１本の密度で設けた管である、１項に記載された建材から放出される揮発性有機化合物の測定装置の試料封入容器。
３．  空気を導入するシャワー管は、先端に向かってしぼって管径を小さくした管である、１項または２項に記載された建材から放出される揮発性有機化合物の測定装置の試料封入容器。
４．  中底に設けた空気を容器内に送り込む小孔は、孔径３ｍｍ〜５ｍｍの小さい孔で１８〜３０個／２００ｃｍ２の密度で分布した小孔である、１項ないし３項のいずれか１項に記載された建材から放出される揮発性有機化合物の測定装置の試料封入容器。
５．  胴部の開口と蓋の間に介在するパッキングはシリコンゴム製のパッキングである、１項ないし４項のいずれか１項に記載された建材から放出される揮発性有機化合物の測定装置の試料封入容器。
６．  １項ないし５項のいずれか１項に記載した測定装置の試料封入容器を恒温槽に収容してなる、建材から放出される揮発性有機化合物の測定機。」
に関する。
【発明の効果】
【０００５】
本発明の測定装置は、部品も少なく、小型であり、試料全体を充分処理できるので、短時間で放出される揮発性有機化合物の量を正確に測定することができる。
【発明を実施するための最良の形態】
【０００６】
試料を載置する中底は、容器の底部に嵌合して設置される。蓋はパッキングを介して容器と嵌合し、パッキングはシリコンゴム製であると、変質したり、弾力を失ったりすることがなく、機密性が良く、好ましい。胴部の中部には、中底部が配置され、該中底部には空気を均一に送り込むため孔径３ｍｍ〜５ｍｍの小孔が１８〜３０配設されている。好ましくは２０個である。孔径が大きいと空気の供給が不均一になる。中底の下方に空気送入口に連結するシャワー管が配置され、空気が細かく分流する。シャワー管の空気吐出口は孔径１．５ｍｍで、７個／１本の数分布する必要がある。好ましい孔径は２ｍｍである。シャワー管を用いることにより、空気は中底全体に均一に送入される。多すぎると、吸収管で処理する空気が多くなりすぎる。
本発明で重要なことは、中底に配置された小孔の分布密度と、小孔の孔径及びシャワー管に配置された空気吐出口の分布密度と小孔の孔径が、本発明で規定された範囲内にあることである。
中底の小孔の分布密度が１８〜３０個／２００ｃｍ２であり、好ましくは２０個である。１８個／２００ｃｍ２以下では、空気の分散分布が不均一になり、建材から放出されるホルムアルデヒドや揮発性有機化合物の取出しが不均一になる。
また、小孔の孔径が３ｍｍより小さいと、空気量が少なくなり、５ｍｍより大きいと空気量が多くなりすぎ、ホルムアルデヒド等の捕集が不充分となり好ましくない。
また、５個／本以下では空気の分散不均一となり、９以上では空気の流れが乱れ、ホルムアルデヒド等の捕集が不充分となるので正確な測定ができなくなる。好ましくは７個である。
【０００７】
本発明で測定するのは建材より放散される揮発性有機化合物であって、例えば、ホルムアルデヒド等のカルボニル化合物、アルコール類、芳香族化合物等である。
容器胴部の下方に、空気導入管が配設されており、該管の先端は中蓋の胴部を通って中底内に開口し、空気を送入する。該くだには、シャワー管が連結しており、空気は細かく分流する。シャワー管には孔径２ｍｍの小孔が設けられており、送入された空気は中底部の小孔を通って均一に分散した空気流となって、試料に接触し、試料から放出される揮発性有機化合物を捕集して、容器の蓋に設けられた空気送出口から送り出される。送り出された揮発性有機化合物を含んだ空気は、捕集管に送り込まれ、ここで揮発性有機化合物が吸着捕集される。この揮発性有機化合物を定量分析するのである。実際に使用する場合は、測定装置は恒温槽に収容して測定温度を一定にする。
【実施例】
【０００８】
次に実施例を挙げて、具体的に説明する。
実施例１  揮発性有機化合物の測定
装置は図１に示したものを用いた。１は容器であり、蓋２が連結具３で容器を連結している。４は空気送り出し口であり、５は空気送入口である。４には揮発性有機化合物捕集管８が連結し、捕集管には空気を吸引するポンプ９が連結している。
図２に示すように、容器の底部には中底６を配置した。図３に示すように、容器胴部の中底の下方に空気送入口５を設けて空気送入口にシャワー管を配設し、シャワー管に空気放散孔１１を設けた。図４に示すように揮発性有機化合物測定装置の容器を恒温槽１６内に設置した。揮発性有機化合物測定装置の空気送入口には、空気清浄装置１３、温湿度制御装置１４、空気混合器１５を、１５、１４、１３の順に連結する。
まず、調節した空気を流して容器内の温度、湿度、換気量を一定条件にする。試験板６０×６０ｍｍの片面塗装した試験片１枚を中底の上に載置し、清浄空気を供給して８時間以上経過し、温度２８℃、湿度５０％で安定状態になったら、揮発性有機化合物捕集管を接続し、吸引流量０．０２８リットル／ｍｉｎで１２分間吸引して容器内の揮発性有機化合物を捕集する。同時にバックグランド濃度とトラベルブランク濃度も測定する。捕集管に捕集された揮発性有機化合物は加熱脱着装置付きＧＣＭＳで定量分析した。
【０００９】
実施例２
実施例１と同じ装置を用い、ホルムアルデヒドを測定した。
ＤＮＰＨ捕集管を接続し、吸引流量０．０２８リットル／ｍｉｎで６０分間吸引して容器内のホルムアルデヒドを捕集する。同時にバックグランド濃度とトラベルブランク濃度も測定する。捕集管に捕集されたホルムアルデヒドは、ＤＮＰＨ誘導体化し、アセトニトリルで溶媒脱着し、このアセトニトリルを分析試料としてＨＰＬＣで定量分析した。
【産業上の利用可能性】
【００１０】
本発明は建材が放出される揮発性有機化合物の測定装置である。建材、特に新建材からは揮発性有機化合物及びホルムアルデヒドが放出される。しかしながら、供給の容易であること、価格が低いことから、新建材の使用は今後も増加していく傾向にある。新建材の問題点である揮発性有機化合物の放出は、その毒性からみても重大な問題であり、その放出量の測定も重要であるので、今後本発明の測定装置は広く使用されると考えられる。
【図面の簡単な説明】
【００１１】
【図１】揮発性有機化合物及びホルムアルデヒド測定装置の容器の説明図である。
【図２】中底の説明図である。
【図３】シャワー管の説明図である。
【符号の説明】
【００１２】
１  容器
２  蓋
３  連結具
４  空気送出口
５  空気送入口
６  筒状体
７  小孔
８  揮発性有機化合物、ホルムアルデヒド捕集管
９  吸引ポンプ
１０  シャワー管
１１  空気吐出口
１２  中底
１３  空気清浄装置
１４  温湿度制御装置
１５  空気混合管
【図１】
2006133170.tif 000003
【図２】
2006133170.tif 000004
【図３】
2006133170.tif 000005